(57)【要約】【課題】  連結および切り離しが短時間で行えるスクリューポイントおよびロッドを提供する。【解決手段】  ドリル形状のスクリューポイント本体１１と、外周面にねじ山を形成した連結部１２とから構成され、連結部のねじ山は、二条ねじであるスクリューポイント１０による。また、一端に雌ねじ部２１を、他端に雄ねじ部２２を形成し、これら雌ねじ部および雄ねじ部は、二条ねじであるロッド２０による。これらスクリューポイント１０およびロッド２０によれば、螺合したりこれを解くときの回転量が１条ねじと比較して少なくて済むので、連結および切り離しのために要する時間を短縮できる。【選択図】  図１
2019044450.tif 000002
【特許請求の範囲】
【請求項１】
スウェーデン式サウンディング試験およびこれに準ずる貫入試験に用いられ、一端に雌ねじ部を、他端に雄ねじ部を形成したロッドの雌ねじ部に螺合可能なスクリューポイントであって、
ドリル形状のスクリューポイント本体と、外周面にねじ山を形成した連結部とから構成され、連結部のねじ山は、二条ねじであることを特徴とするスクリューポイント。
【請求項２】
連結部は二条ねじに形成されたスタッドボルトであって、スクリューポイント本体の端部に雌ねじ部を穿設し、この雌ねじ部にスタッドボルトの一端を螺合し、他端を突出させることにより構成されていることを特徴とする請求項１に記載のスクリューポイント。
【請求項３】
スウェーデン式サウンディング試験およびこれに準ずる貫入試験に用いられ、先端に貫入体を螺合可能なロッドであって、
一端に雌ねじ部を、他端に雄ねじ部を形成し、これら雌ねじ部および雄ねじ部は、二条ねじであることを特徴とするロッド。
【発明の詳細な説明】
【技術分野】
【０００１】
本発明は、スウェーデン式サウンディング試験およびこれに準ずる貫入試験を行うための貫入試験機において利用されるスクリューポイントおよびロッドに関する。
【背景技術】
【０００２】
従来から、スウェーデン式サウンディング試験およびこれに準ずる貫入試験（例えば、スクリュードライバーサウンディング試験）には、貫入試験機が使用されている。そして、この貫入試験機に使用される器具としては、非特許文献１に示すスクリューポイントおよびロッドが知られている。
【０００３】
スクリューポイントは、先端尖鋭のドリル形状を成しており、後端部には雄ねじ部が一体成形されている。
【０００４】
ロッドは、丸棒であり、先端部には雌ねじ部が穿設されており、後端部には雄ねじ部が一体成形されている。そして、ロッドの先端部にスクリューポイントを螺合し、ロッドの後端部に継ぎ足し用のロッドを螺合しながら地中に貫入させる。
【０００５】
貫入試験を終了する場合には、作業者がロッドおよびスクリューポイントを引き、これらの螺合を解くことにより分解し、搬送および収納する。
【先行技術文献】
【非特許文献】
【０００６】
【非特許文献１】日本工業規格Ａ１２２１  スウェーデン式サウンディング試験方法
【発明の開示】
【発明が解決しようとする課題】
【０００７】
しかしながら、上記スクリューポイントおよびロッドは、試験現場毎に頻繁に連結および切り離しが繰り返されるものであり、ねじ部を螺合したりこれを解いたりするためにスクリューポイントおよびロッドを回転させる作業に手間がかかる問題を有していた。
【０００８】
本発明は、上記問題に鑑みて創成されたものであり、連結および切り離しが短時間で行えるスクリューポイントおよびロッドを提供することを目的する。
【課題を解決するための手段】
【０００９】
スウェーデン式サウンディング試験およびこれに準ずる貫入試験に用いられ、一端に雌ねじ部を、他端に雄ねじ部を形成したロッドの雌ねじ部に螺合可能なスクリューポイントであって、ドリル形状のスクリューポイント本体と、外周面にねじ山を形成した連結部とから構成され、連結部のねじ山は、二条ねじであることを特徴とするスクリューポイントによる。
【００１０】
なお、連結部は二条ねじに形成されたスタッドボルトであって、スクリューポイント本体の端部に雌ねじ部を穿設し、この雌ねじ部にスタッドボルトの一端を螺合し、他端を突出させることにより構成されていることが好ましい。
【００１１】
また、スウェーデン式サウンディング試験およびこれに準ずる貫入試験に用いられ、先端に貫入体を螺合可能なロッドであって、一端に雌ねじ部を、他端に雄ねじ部を形成し、これら雌ねじ部および雄ねじ部は、二条ねじであることを特徴とするロッドによる。
【発明の効果】
【００１２】
本発明のスクリューポイントおよびロッドによれば、各部のねじ山が二条ねじに形成されているので、連結および切り離しに要する時間を短縮できる。
【図面の簡単な説明】
【００１３】
【図１】本発明に係るスクリューポイントおよびロッドを示す一部切り欠き断面図である。
【図２】本発明に係るスクリューポイントおよびロッドの使用形態を示す正面図である。
【図３】本発明に係るスクリューポイントの他の実施形態を示す一部切り欠き断面図である。
【発明を実施するための形態】
【００１４】
以下、本発明を実施するための形態を図面に基づいて説明する。図１において、１は、貫入ロッドであって、ロッド２０と、その先端に接続されるスクリューポイント１０とから構成される。
【００１５】
貫入ロッド１は、スウェーデン式サウンディング試験およびこれに準ずる貫入試験に用いられる器具であって、スクリューポイント１０の先端を地表に突き刺し、ロッド１０に荷重とトルクを負荷しながら地中に回転貫入させる貫入試験に用いられる。スウェーデン式サウンディング試験に準ずる貫入試験の一例としては、特開２００７−３２１３８５号公報に記載された貫入試験がある。この貫入試験は、通称、スクリュードライバーサウンディング試験として知られており、試験項目として、貫入ロッド１を貫入する時の荷重と、回転時の回転負荷トルクを測定する点で特徴的である。
【００１６】
スクリューポイント１０は、先端が尖鋭に形成されたドリル状のスクリューポイント本体１１と、連結部１２とから構成されている。
【００１７】
スクリューポイント本体１１の各部寸法は、日本工業規格Ａ１２２１スウェーデン式サウンディング試験方法に規定されたもの同一である。また、スクリューポイント本体１１の端部には、有底の雌ねじ部１３が穿設されている。
【００１８】
連結部１２は、棒材の外周面にねじ山を形成して成り、その一例として本実施形態ではスタッドボルト１２を用いる。スタッドボルト１２の一端をスクリューポイント本体１１の雌ねじ部に螺合し、スタッドボルト１２の他端をスクリューポイント本体１１の端部から突出させることにより、スタッドボルト１２は、スクリューポイント本体１１に取り付けられている。
【００１９】
また、スタッドボルト１２の一端は接着剤を塗布してスクリューポイント本体１１の雌ねじ部１３にねじ込まれるため、より強固に螺合される。
【００２０】
また、スタッドボルト１２のねじ山は、全長にわたって二条ねじに成形されており、スクリューポイント本体１１の雌ねじ部１３のねじ山も二条ねじに成形されている。
【００２１】
なお、連結部１２は、スタッドボルト１２ではなく、スクリューポイント本体１１に一体成形される雄ねじ部であってもよい。
【００２２】
ロッド２０には、一端に穿設された有底の雌ねじ部２１が成形されており、他端には突出した雄ねじ部２２が一体成形されている。これら雌ねじ部２１および雄ねじ部２２は、二条ねじに成形されている。このため、ロッド２０の雌ねじ部２１は、スクリューポイント１１の連結部１２と螺合可能になっている。
【００２３】
また、ロッド２０は、同一構成のロッド２０を順次継ぎ足して使用されるものであり、ロッド２０の雄ねじ部２２に、次のロッド２０のを雌ねじ２１を螺合することにより継ぎ足される。
【００２４】
また、図２に示すように、ロッド２０の外周面には円周方向に等間隔をおいて係合溝２３が設けられており、この係合溝２３と貫入試験機１００のチャック１０１とを嵌合させることで、ロッド２０は貫入試験機１００に装着される。そして、貫入試験機１００の昇降台１０２を下降させながらチャック１０１を回転させることで貫入ロッド１が地中に回転貫入する。そして、ロッド２０を順次継ぎ足しながら、所定の深度まで貫入試験が行われる。
【００２５】
貫入試験終了後には、昇降台１０２を上昇させて貫入ロッド１を引き抜く。そして、貫入ロッド１を分解するために、作業者が、ロッド２０同士の螺合を解くとともに、ロッド２０とスクリューポイント１０の螺合を解く。このとき、スクリューポイント１０のスタッドボルト１２が、スクリューポイント本体１１の雌ねじ部１３に螺合されている部分には、前述のとおり接着剤が塗布されているので、作業者が両手でスクリューポイント１０とロッド２０を把持して螺合を解く方向に回転させた場合、スタッドボルト１２がスクリューポイント本体１１から緩まないように構成されている。
【００２６】
また、次の試験現場では、再度、スクリューポイント１０とロッド２０を螺合して貫入ロッド１を組み立てて使用する。
【００２７】
上記スクリューポイント１０およびロッド２０によれば、各ねじ部が二条ねじに成形されているので、１条ねじと比較して、螺合およびこれを解くときの回転量が少なくてすむため、短時間で連結および切り離しすることが可能となる。
【００２８】
以下、スクリューポイントの他の実施形態を図３に基づいて説明する。このスクリューポイント１０Ａのスタッドボルト１２Ａは、スクリューポイント本体１１Ａの雌ねじ部１３Ａにねじ込まれる下端部１２Ａａのねじ山は１条ねじに成形される一方、スクリューポイント本体１１Ａの端部から突出しロッド２０と螺合する上端部１２Ａｂのねじ山は２条ねじに成形される。これに伴い、スクリューポイントよ本体１１Ａの雌ねじ部１３Ａのねじ山も１条ねじに成形されている。このように構成されたスクリューポイント１０Ａによれば、スクリューポイント本体１１Ａとスタッドボルト１２Ａとは緩み難くできるとともに、スタッドボルト１２Ａとロッド２０とは前述のとおり連結および切り離しが容易となる作用効果を維持できる。
【符号の説明】
【００２９】
１  貫入ロッド
１０  スクリューポイント
１１  スクリューポイント本体
１２  連結部（スタッドボルト）
１３  雌ねじ部
２０  ロッド
２１  雌ねじ部
２２  雄ねじ部
２３  係合溝
【図１】
2019044450.tif 000003
【図２】
2019044450.tif 000004
【図３】
2019044450.tif 000005